(57)【要約】【課題】簡便に芯の補充作業を行い得るシャープペンシルを得ることを課題とする。【解決手段】キャップと付属具と付属具保持部材とをまとめて着脱可能に連接する。一度の動作によりシャープペンシルからキャップと付属具を保持した付属具保持部材とをまとめて脱着することができ、簡便に芯の補充作業を行い得るシャープペンシルとなる。【選択図】図１
2019151051.tif 000002
【特許請求の範囲】
【請求項１】
芯が突出する先端開口部ならびに該芯を補充するための後端開口部を有する軸筒と、前記軸筒内に内蔵された芯タンクと、前記芯タンクの前方に位置し該芯タンクと連動するチャックと、前記チャックおよび前記芯タンクを後方に付勢するチャックスプリングと、付属具と、前記芯タンクの後方に位置し前記付属具を保持する付属具保持部材と、前記付属具保持部材の後方に位置し前記軸筒の後端開口部から突出したキャップとを有し、前記キャップを押圧することにより該キャップと連動した前記チャックを前進させて芯を繰り出すシャープペンシルであって、前記キャップと前記付属具と前記付属具保持部材とをまとめて着脱可能に連接してあり、前記キャップと前記付属具と前記付属具保持部材とをまとめて脱着することで前記芯タンクに前記芯を補充することができることを特徴とするシャープペンシル。
【請求項２】
前記軸筒もしくは前記芯タンクに前記付属具保持部材が着脱可能に装着された第一の装着部と、前記付属具保持部材に前記キャップが着脱可能に装着された第二の装着部を設け、前記第一の装着部と前記第二の装着部の脱着力を異にすることおよび／または前記第一の装着部と前記第二の装着部の脱着の方向を異にすることで、前記キャップと前記付属具と前記付属具保持部材とをまとめて着脱可能に連接してあることを特徴とする、請求項１に記載のシャープペンシル。
【請求項３】
前記第一の装着部が軸心に沿って装着され、前記第二の装着部が周方向に回転装着され、前記軸筒もしくは前記芯タンクと前記付属具保持部材とに該付属具保持部材の周方向の回転を規制する回転規制部が設けられることを特徴とする、請求項１または２に記載のシャープペンシル。
【請求項４】
前記第一の装着部が周方向に回転装着され、前記第二の装着部が軸心に沿って装着され、前記付属具保持部材と前記キャップとに該キャップの周方向の回転を規制する回転規制部が設けられることを特徴とする、請求項１または２に記載のシャープペンシル。
【請求項５】
前記芯タンクの後部に、その内径が拡大した拡径部が設けられるとともに、前記芯タンクに予備芯を含む複数の芯が収容された状態において、前記予備芯の後端が前記拡径部の内壁面から離間することを特徴とする、請求項１ないし４のいずれか１項に記載のシャープペンシル。
【発明の詳細な説明】
【技術分野】
【０００１】
本発明は、シャープペンシルに関する。
【背景技術】
【０００２】
従来、軸筒の内部に芯タンクを内蔵し、芯タンクに芯を収容し、芯タンクの前方に該芯タンクと連動するチャックを設け、後端を押圧して軸筒の先端開口部から芯を突出させた状態で紙面などへ筆記を行うシャープペンシルはよく知られており、筆記により芯が消耗し、芯タンク内の芯を使い切ると、使用者が新規の芯を芯タンク内に補充するようになっている。
【０００３】
このようなシャープペンシルに誤字を消去するための消しゴムを付属させる場合には、消しゴムが露出したままだと、シャープペンシルの携帯時に消しゴムを汚損・紛失したり、シャープペンシルの後端を押圧して軸筒の先端開口部から芯を突出させる際に指に消しゴムの汚れが付着したり、またはその逆に指の油分や汚れが消しゴムに付着して消しゴムの消字性が悪くなったりするおそれがあるため、芯タンクの後端開口部に円柱状の消しゴムを嵌入し、さらに芯タンクの後端に消しゴムを被覆するキャップを着脱自在に被着することや、特許文献１（特公平６−４３５９号公報）に開示されているように、芯タンクの後端開口部に消しゴムを保持した消しゴムホルダーを嵌入し、さらに消しゴムを被覆するキャップを着脱自在に被着することが一般的に行われている。
これら従来のシャープペンシルでは、芯を補充する際には、まずシャープペンシルからキャップを取り外し、次いで消しゴムもしくは消しゴム保持具を取り外した後に、芯を芯タンクの後端開口部から補充する必要があり手間がかかっていた。
また、この芯補充作業は、片手で軸筒を持ち、他方の手で芯を持って行われるため、キャップおよび消しゴム、もしくはキャップおよび消しゴム保持具を一旦机上等に置かなければならず、それらが机上等から転げ落ちて紛失してしまうおそれもあった。
【先行技術文献】
【特許文献】
【０００４】
【特許文献１】特公平６−４３５９号公報
【発明の概要】
【発明が解決しようとする課題】
【０００５】
本発明は、このような従来の問題点を考慮してなされたものであり、簡便に芯の補充作業を行い得るシャープペンシルを提供することを目的とする。
【課題を解決するための手段】
【０００６】
本発明は、
「１．芯が突出する先端開口部ならびに該芯を補充するための後端開口部を有する軸筒と、前記軸筒内に内蔵された芯タンクと、前記芯タンクの前方に位置し該芯タンクと連動するチャックと、前記チャックおよび前記芯タンクを後方に付勢するチャックスプリングと、付属具と、前記芯タンクの後方に位置し前記付属具を保持する付属具保持部材と、前記付属具保持部材の後方に位置し前記軸筒の後端開口部から突出したキャップとを有し、前記キャップを押圧することにより該キャップと連動した前記チャックを前進させて芯を繰り出すシャープペンシルであって、前記キャップと前記付属具と前記付属具保持部材とをまとめて着脱可能に連接してあり、前記キャップと前記付属具と前記付属具保持部材とをまとめて脱着することで前記芯タンクに前記芯を補充することができることを特徴とするシャープペンシル。
２．前記軸筒もしくは前記芯タンクに前記付属具保持部材が着脱可能に装着された第一の装着部と、前記付属具保持部材に前記キャップが着脱可能に装着された第二の装着部を設け、前記第一の装着部と前記第二の装着部の脱着力を異にすることおよび／または前記第一の装着部と前記第二の装着部の脱着の方向を異にすることで、前記キャップと前記付属具と前記付属具保持部材とをまとめて着脱可能に連接してあることを特徴とする、前記１項に記載のシャープペンシル。
３．前記第一の装着部が軸心に沿って装着され、前記第二の装着部が周方向に回転装着され、前記軸筒もしくは前記芯タンクと前記付属具保持部材とに該付属具保持部材の周方向の回転を規制する回転規制部が設けられることを特徴とする、前記１項または２項に記載のシャープペンシル。
４．前記第一の装着部が周方向に回転装着され、前記第二の装着部が軸心に沿って装着され、前記付属具保持部材と前記キャップとに該キャップの周方向の回転を規制する回転規制部が設けられることを特徴とする、前記１項または２項に記載のシャープペンシル。
５．前記芯タンクの後部に、その内径が拡大した拡径部が設けられるとともに、前記芯タンクに予備芯を含む複数の芯が収容された状態において、前記予備芯の後端が前記拡径部の内壁面から離間することを特徴とする、前記１項ないし４項のいずれか１項に記載のシャープペンシル。」である。
【０００７】
本発明によれば、一度の動作によりシャープペンシルからキャップと付属具と付属具保持部材とをまとめて脱着することができるので、シャープペンシルからキャップを取り外して机上に置き、次いで、付属具もしくは付属具を保持した付属具保持部材を取り外して机上に置くという二重の手数を省き、簡便に芯の補充作業を行い得るシャープペンシルを得ることが可能となる。
【０００８】
また、軸筒もしくは芯タンクに付属具保持部材が着脱可能に装着された第一の装着部と、付属具保持部材にキャップが着脱可能に装着された第二の装着部を設け、第二の装着部の脱着により第一の装着部が脱着しないようにすること、または、第一の装着部の脱着部の脱着により第二の装着部が脱着しないようにすることが好ましい。
具体的には、軸筒もしくは芯タンクに付属具保持部材を装着した状態において、付属具保持部材の後部を軸筒の後端から露出するように形成し、軸筒もしくは芯タンクへの付属具保持部材の装着力を、付属具保持部材へのキャップの装着力よりも大きくすることができる。
この場合には、軸筒を一方の手で把持し、付属具保持部材の後部をもう一方の手で把持して着脱動作を行うことにより、シャープペンシルからキャップと付属具と付属具保持部材とをまとめて脱着して、軸筒の後端開口部から芯を補充することができ、また軸筒もしくは付属具保持部材の後部を一方の手で把持し、キャップをもう一方の手で把持して着脱動作を行うことにより、付属具保持部材からキャップを脱着して付属具を露出させて使用することができる。
またはこの逆として、付属具保持部材の後部を軸筒の後端から露出するように形成し、付属具保持部材へのキャップの装着力を、軸筒もしくは芯タンクへの付属具保持部材の装着力よりも大きくすることもできる。
この場合には、軸筒を一方の手で把持し、キャップをもう一方の手で把持して着脱動作を行うことにより、シャープペンシルからキャップと付属具と付属具保持部材とをまとめて脱着して、軸筒の後端開口部から芯を補充することができ、また付属具保持部材の後部を一方の手で把持し、キャップをもう一方の手で把持して着脱動作を行うことにより、付属具保持部材からキャップを脱着して付属具を露出させて使用することができる。
なお、第１の装着部および第二の装着部の装着力は特に限定されないが、プッシュプルスケールなどによって測定することができる。
【０００９】
また、軸筒もしくは芯タンクへの付属具保持部材の装着／脱着方向と、付属具保持部材へのキャップの装着／脱着方向とを異なる方向とすると、芯の補充時と付属具の使用時とでシャープペンシルの把持する部分を変えることがないので、より好ましい。
たとえば、軸筒もしくは芯タンクへの付属具保持部材の装着／脱着をシャープペンシルの軸心方向の前方に向かって押す／後方に向かって引くという操作により行う構成にした場合には、付属具保持部材へのキャップの装着／脱着をシャープペンシルの周方向の時計回りもしくは反時計回りの回転操作により行う構成にすることによって、軸筒を一方の手で把持し、キャップをもう一方の手で把持し、キャップを軸心方向の後方に向かって引くという一度の動作によりシャープペンシルからキャップと付属具と付属具保持部材とをまとめて脱着して、軸筒の後端開口部から芯を補充することができ、軸筒を一方の手で把持し、キャップをもう一方の手で把持し、キャップを周方向に回転するという一度の動作により、付属具保持部材からキャップを脱着して付属具を露出させて使用することができ、芯の補充時と付属具の使用時とでシャープペンシルの把持する部分を変えることがない。
またはこの逆として、軸筒もしくは芯タンクへの付属具保持部材の装着／脱着をシャープペンシルの周方向の時計回りもしくは反時計回りの回転操作により行う構成にした場合には、付属具保持部材へのキャップの装着／脱着をシャープペンシルの軸心方向の前方に向かって押す／後方に向かって引くという操作により行う構成にすることによって、軸筒を一方の手で把持し、キャップをもう一方の手で把持し、キャップを周方向に回転するという一度の動作によりシャープペンシルからキャップと付属具と付属具保持部材とをまとめて脱着して、軸筒の後端開口部から芯を補充することができ、キャップを軸心方向の後方に向かって引くという一度の動作により、付属具保持部材からキャップを脱着して付属具を露出させて使用することができ、芯の補充時と付属具の使用時とでシャープペンシルの把持する部分を変えることがない。
さらに、軸筒もしくは芯タンクへの付属具保持部材の装着／脱着をシャープペンシルの周方向の時計回りの回転操作により行う構成にした場合には、付属具保持部材へのキャップの装着／脱着をシャープペンシルの周方向の反時計回りの回転操作により行う構成にすることによって、軸筒を一方の手で把持し、キャップをもう一方の手で把持し、キャップを周方向の時計回りに回転するという一度の動作によりシャープペンシルからキャップと付属具と付属具保持部材とをまとめて脱着して、軸筒の後端開口部から芯を補充することができ、軸筒を一方の手で把持し、キャップをもう一方の手で把持し、キャップを周方向の反時計回りに回転するという一度の動作により、付属具保持部材からキャップを脱着して付属具を露出させて使用することができ、芯の補充時と付属具の使用時とでシャープペンシルの把持する部分を変えることがない。
【００１０】
軸筒もしくは芯タンクと付属具保持部材との装着部や、付属具保持部材とキャップとの装着部には、乗り越え嵌合、圧入嵌合、ねじ嵌合などの嵌合方式を適宜用いることができ、嵌合位置は軸筒もしくは芯タンクと付属具保持部材との装着部のいずれであってもよく、また付属具保持部材とキャップとの装着部のいずれであってもよい。
また、嵌合箇所は複数箇所存在してもよい。
【００１１】
また、第一の装着部が軸心に沿って装着され、第二の装着部が周方向に回転装着されている場合には、軸筒もしくは前記芯タンクと付属具保持部材とに周方向の回転を規制する回転規制部が設けられることが好ましい。
回転規制部を設けることで、キャップの脱着時に軸筒もしくは芯タンクと付属具保持部材との装着部へ負荷がかかり難く、且つキャップの脱着をスムーズに行うことができる。
また、第一の装着部が周方向に回転装着され、第二の装着部が軸心に沿って装着されている場合には、付属具保持部材とキャップとに周方向の回転を規制する回転規制部が設けられることが好ましい。
回転規制部を設けることで、付属具保持部材の脱着時に付属具保持部材とキャップとの装着部へ負荷がかかり難く、且つ付属具保持部材の脱着をスムーズに行うことができる。
なお、軸筒もしくは芯タンクと付属具保持部材との回転規制部や、付属具保持部材とキャップとの回転規制部には、一方に凸部や突起を設け、もう一方に凹部や溝、スリットなどを設けて、両者を噛み合わせて回り止めとすることができる。
また、回転規制部は複数箇所存在していてもよい。
【００１２】
本発明の芯タンクは、その形状は特に限定されず円筒形状など様々な形状を選択することができるが、芯タンクの後部にその内径が拡大した拡径部を設けることが好ましい。
拡径部を設けることで、拡径部前端を芯支持部とし、芯タンクに予備芯を含む複数の芯が収容された状態において、予備芯の後端部を前記拡径部の内壁面から離間させることができる。
また、拡径部を設けることにより、軸筒の後端開口部から芯タンクに芯を補充する際に、芯タンクの後端がそのまま芯の入り口になっている場合と比較して芯の補充が容易になる。
また、芯タンクに予備芯を収容した状態でシャープペンシルを持ち歩いて振動が加わった場合や、シャープペンシルに落下などによる衝撃が加わった場合にも、予備芯の後端部が芯タンクの内壁面に擦れることによる芯タンクの内壁面汚れが生じにくく、芯タンクの一部もしくは全部を透明な部材で形成し、軸筒に窓部を設けた場合に、芯タンクならびに窓部を透しての残芯の有無ならびに消費状況を軸筒の外部から確認することが容易になる。
また、予備芯の後端部が芯タンクの内壁面に擦れることにより発生する芯の粉末が減少するため、芯の粉末が付着することによる芯タンクの内壁面汚れが生じにくく、芯タンクの一部もしくは全部を透明な部材で形成し、軸筒に窓部を設けた場合に、芯タンクならびに窓部を透しての残芯の有無ならびに消費状況を軸筒の外部から確認することが容易になる。
さらにまた、芯の粉末がチャック内などに入り込むことによる芯詰まりなどが生じにくい。
なお、芯タンクに予備芯を収容した状態において、予備芯の後端から拡径部前端の芯支持部までの長さをＬとし、芯支持部を通る水平面と予備芯とが形成する角度をθとした場合に、芯タンクの内径と拡径部の内径との差が２Ｌｃｏｓθ以上となるように芯タンクと拡径部とを形成すると、芯タンク内で予備芯が傾いた場合でも予備芯の後端部を常に拡径部の内壁面から離間させることができるので、芯の後端部と芯タンクとの接触を効果的に抑制することができる。
【００１３】
本発明の芯タンクは、その材質は特に限定されず樹脂や金属など様々な材質を選択することができるが、その内壁面にシリコーン処理を施すことが好ましい。
シリコーン処理を施すことにより、予備芯の後端部が芯タンクの内壁面に擦れることによる芯タンクの内壁面汚れが生じにくくなり、また芯の粉末が発生した場合においても、芯の粉末が付着することによる芯タンクの内壁面汚れが生じにくくなる。
【００１４】
本発明の付属具としては、誤字を修正するための消しゴムの他に、ボールペンやマーキングペン、修正テープ、スマートフォンやタブレット端末用のタッチペンなどを適宜用いることができる。
また、芯として可逆熱変色性マイクロカプセル顔料を含むと共に筆記により可逆熱変色性を有する筆跡を形成可能な固形芯を用い、付属具として紙面との摩擦熱により前記固形芯による筆跡の色を変色もしくは消色可能な摩擦部材を用いることもできる。
【００１５】
本発明の軸筒内に、芯タンク内に収容された芯の後端に当接する表示体を軸心方向に前後動可能に配し、軸筒に表示体の移動状態を外部から視認し得る窓部を設けてもよい。
表示体を付属具保持部材に遊着し、軸筒もしくは芯タンクに付属具保持部材を装着した状態において表示体が軸筒内に位置して軸心方向に前後動可能とすることで、芯タンク内の最後の芯がチャック内に入って前方に移動することにより予備芯の後端に当接した表示体が芯に追従して前方に移動するとともに、窓部から表示体の移動状態が見えるので、芯タンク内の予備芯の有無ならびに芯の消費状況を外部から容易に確認することができる。
また、軸筒を一方の手で把持し、キャップをもう一方の手で把持して脱着するという一度の動作により、シャープペンシルからキャップと付属具と付属具保持部材と表示体とをまとめて脱着して、軸筒の後端から芯を補充することができる。
【発明の効果】
【００１６】
本発明では、シャープペンシルからキャップを取り外して机上に置き、次いで、付属具もしくは付属具を保持した付属具保持部材を取り外して机上に置くという二重の手数を省き、簡便に芯の補充作業を行い得るシャープペンシルを得ることができた。
【図面の簡単な説明】
【００１７】
【図１】本発明の第１の実施の形態のシャープペンシルの縦断面図である。
【図２】図１のシャープペンシルのＡ−Ａ横断面図である。
【図３】図１のシャープペンシルに芯を補充する状態を示す縦断面図である。
【図４】図１のシャープペンシルの消しゴムを使用する状態を示す縦断面図である。
【図５】図１のシャープペンシルの芯支持部の近傍を示す拡大図である。
【図６】本発明の第２の実施の形態のシャープペンシルで、芯タンク内に予備芯がある状態を示す縦断面図である。
【図７】図６のシャープペンシルのＢ−Ｂ横断面図である。
【図８】図６のシャープペンシルで、芯タンク内に予備芯がない状態を示す縦断面図である。
【図９】図６のシャープペンシルに芯を補充する状態を示す縦断面図である。
【図１０】図６のシャープペンシルの消しゴムを使用する状態を示す縦断面図である。
【発明を実施するための形態】
【００１８】
以下に、図面を参照して本実施の形態のシャープペンシルを詳細に説明する。
【００１９】
図１は、本発明の第１の実施の形態のシャープペンシルの縦断面図であり、図２は、図１のシャープペンシルのＡ−Ａ横断面図である。
なお、図面の説明においては、図面における上方、すなわちキャップ側を後方と表現し、図面における下方、すなわち軸筒の先端開口部側を前方と表現する。
【００２０】
本発明の第１の実施の形態のシャープペンシル１は、図１に示すように、円筒形状の軸筒本体２の前方に先口３を設け、軸筒本体２と先口３とで軸筒が構成され、後端開口部２ａより後端が閉塞された略円筒形状のキャップ４を突出させている。
軸筒内には、後端開口部２ａから前方に向けて略円筒形状の付属具保持部材５が挿入され、付属具保持部材５の前端は縮径されて嵌合部５ａを形成し、後述する芯タンク７の後端に設けられた嵌合部７ａに挿嵌されている。
図２に示すように、軸筒本体２の後部内周面には複数の係合溝２ｂが形成され、付属具保持部材５の外周面には複数の係合突起５ｂが形成され、係合溝２ｂと係合突起５ｂとが噛み合うことにより、軸筒本体２と付属具保持部材５との回り止め（回転規制）がなされている。
図１に示すように、付属具保持部材５の後端は円柱状にくりぬかれて、付属具として円柱形状の消しゴム６が挿嵌され、付属具保持部材５の後部外周面には雄螺子部５ｃが設けられ、前部内周面に雌螺子部４ａが設けられた前記キャップ４が着脱可能に螺合され、キャップ４により消しゴム６は覆われている。
【００２１】
軸筒本体２の内部にはポリプロピレン製のパイプからなる内径２．２ｍｍの芯タンク７が配され、芯タンク７はその前端から全長の約２／３となる中間部分で段状に拡径されて拡径部７ｂが設けられて該拡径部７ｂの前端が芯支持部７ｃとなり、芯タンク７内には芯８ならびに予備芯８１が収容され、芯タンク７の後端開口部には嵌合部７ａが設けられて前記付属具保持部材５の前端に設けられた前記嵌合部５ａが挿嵌され、芯タンク７の前端は略円筒形状の連結具９に挿入され、芯タンク７の先端開口部には黄銅からなるチャック１０が圧入固着されている。
【００２２】
チャック１０の前部は複数分割して構成され、チャック頭部１０ａにはリング状の締具１１が外嵌され、締具１１の後端を受け止める連結具９と芯タンク７前端との間にチャックスプリング１２が張嵌され、チャックスプリング１２により後方に付勢されたチャック頭部１０ａが芯を保持している。
先口３は両端が開口した先細り形状であり、先端開口部３ａから芯８が突出され、内部に芯８を保持する芯ホルダー１３が配置され、後部内周面には雌螺子部３ｂが設けられ、連結具９の前部外周面に設けられた雄螺子部９ａと螺合している。
【００２３】
筆記により芯８が消耗した場合には、チャックスプリング１２の弾発力に抗してキャップ４をシャープペンシル１の前方に向けて押圧すると、キャップ４と螺合した付属具保持部材５が前方に移動し、付属具保持部材５と嵌合した芯タンク７が前方に移動し、チャック１０が芯８をつかんだ状態で前方に移動し、締具１１が先口３の内面に当接して移動を停止し、締具１１がチャック頭部１０ａから外れてチャック頭部１０ａが拡開するまで芯８が繰り出される。
チャック頭部１０ａが拡開しても、芯８は芯ホルダー１３に保持されるため先端開口部３ａから落下することはない。
キャップ４の押圧をやめると、チャックスプリング１２の弾発力により芯タンク７が後方に移動し、チャック１０が後方に移動し、締具１１が連結具９の前端に当接して停止しチャック頭部１０ａに外嵌され、チャック頭部１０ａが閉じて芯８が固定され筆記が可能となる。
【００２４】
次に、図３を用いて、第１の実施の形態のシャープペンシル１に芯８を補充する状態について詳細に説明する。
軸筒本体２を一方の手で把持し、もう一方の手でキャップ４を把持し、キャップ４を後方に引くと、キャップ４はその前部内周面の雌螺子部４ａにより付属具保持部材５の後部外周面の雄螺子部５ｃに螺合されているために軸心方向の力が加わっても付属具保持部材５から脱着しないので、キャップと共に付属具保持部材５が後方に引っ張られ、付属具保持部材５前端の嵌合部５ａと芯タンク７後端の嵌合部７ａとの嵌合が脱着され、キャップ４と消しゴム６が挿嵌された付属具保持部材５とが連結されたままの状態でシャープペンシル１から抜き取られ、後端開口部２ａが開放される。
芯８を後端開口部２ａからシャープペンシル１内に落とし込むと、芯タンク７の後部が段状に拡径されて拡径部７ｂが形成されているために、芯８が芯タンク７内にスムーズに収容される。
軸筒本体２を一方の手で把持し、もう一方の手でキャップ４を把持してキャップ４と連結されたままの付属具保持部材５を後端開口部２ａからシャープペンシル１内に挿入すると、芯タンク７の後端に設けられた嵌合部７ａに付属具保持部材５の前端に形成された嵌合部５ａが挿嵌されて、芯タンク７内への芯８の補充が完了する。
【００２５】
次に、図２、図４を用いて、第１の実施の形態のシャープペンシル１の消しゴム６を使用する状態について詳細に説明する。
軸筒本体２を一方の手で把持し、もう一方の手でキャップ４を把持し、キャップ４を後方からみて反時計回りに回転させると、キャップ４が螺合した付属具保持部材５にも後方からみて反時計回りの力が加わるが、付属具保持部材５はその外周面に形成された複数の係合突起５ｂが軸筒本体２の後部内周面に形成された複数の係合溝２ｂに噛み合っているために周方向の力が加わっても軸筒本体２に対して回転しないので、キャップ４のみが回転して付属具保持部材５の後部外周面に設けられた雄螺子部５ｃとキャップ４の内周面に設けられた雌螺子部４ａとの螺合が脱着され、付属具保持部材５に挿嵌された消しゴム６が露出して使用可能となる。
【００２６】
次に、図５を用いて、第１の実施の形態のシャープペンシル１の拡径部７ｂならびに芯支持部７ｃの作用について詳細に説明する。
芯タンク７に予備芯８１を収容した状態において、予備芯８１の後端から拡径部７ｂ前端の芯支持部７ｃまでの長さをＬとし、芯支持部７ｃを通る水平面と予備芯８１とが形成する角度をθとした場合に、芯タンク７の内径と拡径部７ｂの内径との差が２Ｌｃｏｓθ以上となるように芯タンク７と拡径部７ｂとを形成すると、芯タンク７内で予備芯８１が傾いた場合においても予備芯８１の後端部が拡径部７ｂの内壁面から離間する。
【００２７】
本実施の形態では、シャープペンシル１に対してキャップ４を軸心方向の後方に向かって引くだけで、シャープペンシル１からキャップ４と消しゴム６と付属具保持部材５とがまとめて脱着されて後端開口部２ａを開放することができ、まずシャープペンシル１からキャップ４を取り外して机上に置き、次いで、消しゴム６もしくは消しゴム６が挿嵌された付属具保持部材５を取り外して机上に置くという二重の手数がなくなり、キャップ４や消しゴム６を保持した付属具保持部材５を紛失することなく、容易に芯を補充することができた。
また、シャープペンシル１に対してキャップ４を周方向に向かって回転するだけで消しゴム６を露出することができ、消しゴム６の使用時と前記芯８の補充時とでシャープペンシル１の把持する部分を変えることがなかった。
また、芯タンク７に拡径部７ｂが設けられているために、芯タンクへの芯補充も容易に行うことができた。
さらに、芯タンク７に予備芯８１を収容した状態でシャープペンシル１を持ち歩いて振動が加わった場合や、シャープペンシル１に落下などによる衝撃が加わった場合にも、芯タンク７に拡径部７ｂが設けられているために、予備芯８１の後端部が擦れることによる芯タンク７の内壁面汚れや、予備芯８１の粉末による芯タンク７の内壁面汚れが生じにくく、また予備芯８１の粉末がチャック１０内などに入り込むことによる芯詰まりなどが生じにくかった。
【００２８】
次に、図面を参照して本発明の第２の実施の形態におけるシャープペンシル１００について詳細に説明する。
第２の実施の形態のシャープペンシル１００は、第１の実施の形態のシャープペンシル１の軸筒本体２に窓部２ｃを設け、軸筒本体２の内部に芯タンク７内に収容された予備芯８１の有無ならびに消費状況を窓部２ｃから容易に確認することができる表示体１４を設けたものである。
【００２９】
図６、図７に示すように、軸筒本体２は第１の実施の形態のシャープペンシル１と同様に形成されると共に、その両側面には窓部２ｃが開口されている。
また、付属具保持部材５の後部は第１の実施の形態のシャープペンシル１の付属具保持部材５と同様に形成されると共に、その内部が前端から全長の約３／４となる深さまで円柱状にくりぬかれ、両側面には軸心方向に延びるスリット５ｄが形成されている。
付属具保持部材５の内部には略円柱形状の表示体１４が前後動可能に配置され、表示体１４の後端両側面には凸部１４ａが形成され、前記スリット５ｄ内に凸部１４ａが嵌入されている。
芯タンク７内に予備芯８１がある場合には、表示体１４の前端が芯タンク７内に収容された予備芯８１の後端に当接することにより、表示体１４が軸筒本体２の窓部２ｃよりも後方に位置しているので、表示体１４は窓部２ｃから視認されない。
【００３０】
次に、図８を用いて、第２の実施の形態のシャープペンシル１００で、芯タンク７内に予備芯８１がない状態について詳細に説明する。
筆記によりチャック頭部１０ａに保持された芯８を使い切り、芯タンク７内に収容された最後の予備芯８１がその自重によりチャック１０内に落下し、予備芯８１の後端に当接していた表示体１４が予備芯８１に追従して前方に移動することにより、表示体１４が軸筒本体２の窓部２ｃから視認される。
【００３１】
次に、図９を用いて、第２の実施の形態のシャープペンシル１００に芯８を補充する状態について詳細に説明する。
軸筒本体２を一方の手で把持し、もう一方の手でキャップ４を把持し、キャップ４を後方に引っ張ると、キャップ４はその内周面の雌螺子部４ａにより付属具保持部材５の後部外周面の雄螺子部５ｃに螺合されているために軸心方向の力が加わっても付属具保持部材５から脱着しないので、キャップ４と共に付属具保持部材５が後方に引っ張られ、付属具保持部材５前端の嵌合部５ａと芯タンク７後端の嵌合部７ａとの嵌合が脱着され、キャップ４と消しゴム６が挿嵌された付属具保持部材５とが連結されたままの状態でシャープペンシル１００から抜き取られ、後端開口部２ａが開放される。
このとき、表示体１４はその自重により前方に移動しようとするが、表示体１４の両側面に設けられた凸部１４ａが付属具保持部材５の両側面に設けられたスリット５ｄに嵌入されているために、凸部１４ａがスリット５ｄの前端に当接して、付属具保持部材５からの表示体１４の落下が防止され、表示体１４もシャープペンシル１００から抜き取られる。
芯８を後端開口部２ａからシャープペンシル１００内に落とし込むと、芯タンク７の後部が段状に拡径されて拡径部７ｂが形成されているために、芯８が芯タンク７内にスムーズに収容される。
軸筒本体２を一方の手で把持し、もう一方の手でキャップ４を把持してキャップ４と連結されたままの付属具保持部材５と表示体１４を後端開口部２ａからシャープペンシル１００内に挿入すると、芯タンク７の後端に設けられた嵌合部７ａに付属具保持部材５の前端に形成された嵌合部５ａが挿嵌されて、芯タンク７内への芯８の補充が完了する。
【００３２】
次に、図７、図１０を用いて、第２の実施の形態のシャープペンシル１００の消しゴム６を使用する状態について詳細に説明する。
軸筒本体２を一方の手で把持し、もう一方の手でキャップ４を把持し、キャップ４を後方からみて反時計回りに回転させると、キャップ４が螺合した付属具保持部材５にも後方からみて反時計回りの力が加わるが、付属具保持部材５はその外周面に形成された複数の係合突起５ｂが軸筒本体２の後部内周面に形成された複数の係合溝２ｂに噛み合っているために周方向の力が加わっても軸筒本体２に対して回転しないので、キャップ４のみが回転して付属具保持部材５の後部外周面に設けられた雄螺子部５ｃとキャップ４の内周面に設けられた雌螺子部４ａとの螺合が脱着され、付属具保持部材５に挿嵌された消しゴム６が露出して使用可能となる。
【００３３】
本実施の形態では、シャープペンシル１００に対してキャップ４を軸心方向の後方に向かって引くだけで、シャープペンシル１００からキャップ４と消しゴム６と付属具保持部材５と表示体１４とがまとめて脱着されて後端開口部２ａを開放することができ、まずシャープペンシル１００からキャップ４を取り外して机上に置き、次いで、消しゴム６もしくは消しゴム６が挿嵌された付属具保持部材５を取り外して机上に置くという二重の手数がなくなり、キャップ４や消しゴム６を保持した付属具保持部材５や表示体１４を紛失することなく、容易に芯８を補充することができた。
また、第一の実施の形態と同様に、シャープペンシル１００に対してキャップ４を周方向に向かって回転するだけで消しゴム６を露出することができ、消しゴム６の使用時と前記芯８の補充時とでシャープペンシル１００の把持する部分を変えることがなかった。
また、表示体１４の移動状態を軸筒本体２の窓部２ｃから視認することで、芯タンク７内に収容された予備芯８１の有無ならびに消費状況を窓部２ｃから容易に確認することができた。
また、芯タンク７に拡径部７ｂが設けられているために、芯タンク７への芯補充も容易に行うことができた。
さらに、芯タンク７に予備芯８１を収容した状態でシャープペンシル１００を持ち歩いて振動が加わった場合や、シャープペンシル１００に落下などによる衝撃が加わった場合にも、芯タンク７に拡径部７ｂが設けられているために、予備芯８１の後端部が擦れることによる芯タンク７の内壁面汚れや、予備芯８１の粉末による芯タンク７の内壁面汚れが生じにくく、芯タンク７ならびに窓部２ｃを透しての表示体１４の移動状態の確認が容易であった。
さらにまた、予備芯８１の粉末がチャック１０内などに入り込むことによる芯詰まりなどが生じにくかった。
【符号の説明】
【００３４】
１…第１の実施の形態のシャープペンシル、
２…軸筒本体、２ａ…後端開口部、２ｂ…係合溝、２ｃ…窓部、
３…先口、３ａ…先端開口部、３ｂ…雌螺子部、
４…キャップ、４ａ…雌螺子部、
５…付属具保持部材、５ａ…嵌合部、５ｂ…係合突起、５ｃ…雄螺子部、５ｄ…スリット、
６…消しゴム、
７…芯タンク、７ａ…嵌合部、７ｂ…拡径部、７ｃ…芯支持部、
８…芯、８１…予備芯、
９…連結具、９ａ…雄螺子部、１０…チャック、１０ａ…チャック頭部、
１１…締具、１２…チャックスプリング、１３…芯ホルダー、
１４…表示体、１４ａ…凸部
１００…第２の実施の形態のシャープペンシル。
【図１】
2019151051.tif 000003
【図２】
2019151051.tif 000004
【図３】
2019151051.tif 000005
【図４】
2019151051.tif 000006
【図５】
2019151051.tif 000007
【図６】
2019151051.tif 000008
【図７】
2019151051.tif 000009
【図８】
2019151051.tif 000010
【図９】
2019151051.tif 000011
【図１０】
2019151051.tif 000012